(57)【要約】【課題】不慮の事故や急病等で受診が必要になった場合でも、保険の種別や保険証番号を即座に確認可能な医療費徴収システムを提供する。【解決手段】携帯電話端末１はユーザデータを携帯電話キャリア側サーバ４に送出する。携帯電話キャリア側サーバ４では携帯電話端末１からの入力情報と顧客情報データベース３内の情報とを照合し、整合がとれていれば、登録番号の取得処理を行い、顧客情報データベース３に登録番号を保存する。病院側サーバ５は携帯電話端末１を用いて保険種別や保険証番号を確認し、受診した病院、日時等のデータと登録番号とをデータとして病院側顧客管理データベース６に記憶し、医療費の算出が完了した時点で、携帯電話キャリア側サーバ４に費用請求を送出する。携帯電話キャリア側サーバ４は費用請求のデータと事前登録のデータとが一致すると、通話料金等の費用請求時に合わせて医療費の請求を行う。【選択図】　　　図１
2004078443.tif 000002
【特許請求の範囲】
【請求項１】
携帯電話端末の少なくとも通信料金を管理する携帯電話キャリア側サーバであって、保険証情報の提示に用いられる携帯電話端末からの使用者情報と予め登録された情報とを照合して認証を行う照合手段と、前記照合手段で認証された携帯電話端末による前記保険証情報の提示を契機として発生する医療費を特定する登録番号を付与する付与手段と、前記付与手段で付与した前記登録番号とともに要求される医療費を少なくとも前記通信料金に加算して請求情報を生成する手段とを有することを特徴とする携帯電話キャリア側サーバ。
【請求項２】
携帯電話端末にて提示される保険証情報と前記携帯電話端末の少なくとも通信料金を管理する携帯電話キャリア側サーバから付与されかつ前記保険証情報の提示を契機として発生する医療費を特定する登録番号とを入力する入力手段と、前記携帯電話端末による前記保険証情報の提示時の医療情報を前記携帯電話キャリア側サーバに登録する手段と、当該医療情報に基づく医療費を前記登録番号とともに前記携帯電話キャリア側サーバに送付して請求する手段とを有することを特徴とする病院側サーバ。
【請求項３】
前記携帯電話端末から予め設定された専用バーコードで表示される前記保険証情報を読取る手段を含むことを特徴とする請求項２記載の病院側サーバ。
【請求項４】
インタネットへの接続が可能な携帯電話端末に保険証情報を表示することを特徴とする医療費徴収システム。
【請求項５】
前記携帯電話端末からの使用者情報と予め登録された情報とを照合して認証を行う照合手段と、前記照合手段で認証された携帯電話端末による前記保険証情報の提示を契機として発生する医療費を特定する登録番号を付与する付与手段と、前記付与手段で付与した前記登録番号とともに要求される医療費を少なくとも前記携帯電話端末の通信料金に加算して請求情報を生成する手段とを前記携帯電話端末の少なくとも通信料金を管理する携帯電話キャリア側サーバに含むことを特徴とする請求項４記載の医療費徴収システム。
【請求項６】
前記携帯電話端末が前記保険証情報を内部に保存することを特徴とする請求項４または請求項５記載の医療費徴収システム。
【請求項７】
前記携帯電話端末が予め外部データベースに格納された前記保険証情報を取得することを特徴とする請求項４または請求項５記載の医療費徴収システム。
【請求項８】
前記携帯電話端末が前記保険証情報を予め設定された専用バーコード表示することを特徴とする請求項４から請求項７のいずれか記載の医療費徴収システム。
【請求項９】
保険証情報の提示に用いられる携帯電話端末からの使用者情報と予め登録された情報とを照合して認証を行うステップと、そこで認証された携帯電話端末による前記保険証情報の提示を契機として発生する医療費を特定する登録番号を付与するステップと、この付与された前記登録番号とともに要求される医療費を少なくとも前記携帯電話端末の通信料金に加算して請求情報を生成するステップとを前記携帯電話端末の少なくとも通信料金を管理する携帯電話キャリア側サーバに有することを特徴とする医療費徴収方法。
【請求項１０】
前記携帯電話端末が前記保険証情報を内部に保存することを特徴とする請求項９記載の医療費徴収方法。
【請求項１１】
前記携帯電話端末が予め外部データベースに格納された前記保険証情報を取得することを特徴とする請求項９記載の医療費徴収方法。
【請求項１２】
前記携帯電話端末が前記保険証情報を予め設定された専用バーコード表示することを特徴とする請求項９から請求項１１のいずれか記載の医療費徴収方法。
【請求項１３】
携帯電話端末の少なくとも通信料金を管理する携帯電話キャリア側サーバのコンピュータに、保険証情報の提示に用いられる前記携帯電話端末からの使用者情報と予め登録された情報とを照合して認証を行う処理と、そこで認証された携帯電話端末による前記保険証情報の提示を契機として発生する医療費を特定する登録番号を付与する処理と、この付与された前記登録番号とともに要求される医療費を少なくとも前記携帯電話端末の通信料金に加算して請求情報を生成する処理とを実行させるためのプログラム。
【発明の詳細な説明】
【０００１】
【発明の属する技術分野】
本発明は携帯電話キャリア側サーバ、病院側サーバ、医療費徴収システム及びそれらに用いる医療費徴収方法に関し、特に保険証の提示方法及び医療費の支払い方法に関する。
【０００２】
【従来の技術】
一般的に、不慮の事態が発生して病院で受診する必要が発生した場合には、常に保険証を携帯しているとは限らず、保険証無しで受診すると、預り金として一時的に多額の費用負担が発生することになる。
【０００３】
また、保険証を携帯していたとしても、祝祭日の緊急外来受診の場合には、当日に精算を行えないことが多く、この場合にも上記の保険証無しの場合と同様に、預り金を取る形式となっている。
【０００４】
上記のような保険証を提示するために携帯する煩わしさと、診療報酬を保険組合毎に請求しなければならない保険医療機関の負担とを軽減するために、被保険者毎の保険証データを格納する医療機関用データベースを医療情報保管管理会社内に設け、患者の保険証データを医療機関用データベースから検索し、その保険負担分の費用請求を医療情報保管管理会社に対して行う方法が提案されている（例えば、特許文献１参照）。
【０００５】
【特許文献１】
特開２００２−４１６４９号公報
【０００６】
【発明が解決しようとする課題】
上述した従来の保険証の提示方法及び医療費の支払い方法では、受診費用の精算、あるいは保険証を携帯していなかった場合の保険証の提示を後日行うために、病院に出向く必要があり、外出先、旅行先等の遠隔地での受診であった場合には、交通費、移動時間等の負担はユーザが被ることとなってしまう。
【０００７】
これらの問題は上記の特許文献１の方法で解決可能であるが、保険証を携帯していない患者が多数の場合には、その患者のデータを入力するオペレータの負担とデータベースからの検索時間とが増大してしまうという問題がある。
【０００８】
そこで、本発明の目的は上記の問題点を解消し、不慮の事故や急病等で受診が必要になった場合でも、患者のデータを入力するオペレータの負担とデータベースからの検索時間とを増大させることなく、保険の種別や保険証番号を即座に確認することができる携帯電話キャリア側サーバ、病院側サーバ、医療費徴収システム及びそれらに用いる医療費徴収方法を提供することにある。
【０００９】
また、本発明の他の目的は、患者側の再来院するための移動費や時間等のコストを低減することができ、病院側で発生した費用を確実に徴収することができる携帯電話キャリア側サーバ、病院側サーバ、医療費徴収システム及びそれらに用いる医療費徴収方法を提供することにある。
【００１０】
【課題を解決するための手段】
本発明による携帯電話キャリア側サーバは、携帯電話端末の少なくとも通信料金を管理する携帯電話キャリア側サーバであって、保険証情報の提示に用いられる携帯電話端末からの使用者情報と予め登録された情報とを照合して認証を行う照合手段と、前記照合手段で認証された携帯電話端末による前記保険証情報の提示を契機として発生する医療費を特定する登録番号を付与する付与手段と、前記付与手段で付与した前記登録番号とともに要求される医療費を少なくとも前記通信料金に加算して請求情報を生成する手段とを備えている。
【００１１】
本発明による病院側サーバは、携帯電話端末にて提示される保険証情報と前記携帯電話端末の少なくとも通信料金を管理する携帯電話キャリア側サーバから付与されかつ前記保険証情報の提示を契機として発生する医療費を特定する登録番号とを入力する入力手段と、前記携帯電話端末による前記保険証情報の提示時の医療情報を前記携帯電話キャリア側サーバに登録する手段と、当該医療情報に基づく医療費を前記登録番号とともに前記携帯電話キャリア側サーバに送付して請求する手段とを備えている。
【００１２】
本発明による医療費徴収システムは、インタネットへの接続が可能な携帯電話端末に保険証情報を表示している。
【００１３】
本発明による他の医療費徴収システムは、上記の構成において、前記携帯電話端末からの使用者情報と予め登録された情報とを照合して認証を行う照合手段と、前記照合手段で認証された携帯電話端末による前記保険証情報の提示を契機として発生する医療費を特定する登録番号を付与する付与手段と、前記付与手段で付与した前記登録番号とともに要求される医療費を少なくとも前記携帯電話端末の通信料金に加算して請求情報を生成する手段とを前記携帯電話端末の少なくとも通信料金を管理する携帯電話キャリア側サーバに具備している。
【００１４】
本発明による医療費徴収方法は、保険証情報の提示に用いられる携帯電話端末からの使用者情報と予め登録された情報とを照合して認証を行うステップと、そこで認証された携帯電話端末による前記保険証情報の提示を契機として発生する医療費を特定する登録番号を付与するステップと、この付与された前記登録番号とともに要求される医療費を少なくとも前記携帯電話端末の通信料金に加算して請求情報を生成するステップとを前記携帯電話端末の少なくとも通信料金を管理する携帯電話キャリア側サーバに備えている。
【００１５】
本発明による医療費徴収方法のプログラムは、携帯電話端末の少なくとも通信料金を管理する携帯電話キャリア側サーバのコンピュータに、保険証情報の提示に用いられる前記携帯電話端末からの使用者情報と予め登録された情報とを照合して認証を行う処理と、そこで認証された携帯電話端末による前記保険証情報の提示を契機として発生する医療費を特定する登録番号を付与する処理と、この付与された前記登録番号とともに要求される医療費を少なくとも前記携帯電話端末の通信料金に加算して請求情報を生成する処理とを実行させている。
【００１６】
すなわち、本発明の医療費徴収システムでは、外出時に携帯される可能性の高い携帯電話装置を用いて保険種別や保険証番号の確認とユーザの個人認証とを行うことで、即座に保険証情報の確認を行うことが可能となる。
【００１７】
また、本発明の医療費徴収システムでは、携帯電話キャリアが代替して患者側に費用請求することで、患者側が後日、事務手続きや費用精算のために来院しなくても、医療費精算が可能となる。
【００１８】
上記のように、本発明の医療費徴収システムでは、システムの一部にインタネットへの接続が可能な既存の携帯電話インフラを使用することによって、秘匿性が高く、かつ低コストでのシステム構築が可能となる。
【００１９】
本発明では、旅行、外出等でも常時携帯していると思われる携帯電話装置を保険証の提示に用いることで、不慮の事故や急病等で受診が必要になった場合にも、保険の種別や保険証番号を即座に確認することが可能となる。
【００２０】
また、本発明では、この時の医療費を後日、携帯電話キャリアが代替して患者側に費用請求することで、医療費精算で再来院するためにかかる移動費、時間等のコストを低減することが可能となる。この場合、病院側としても、個人認証及び保険情報確認の手段として、インタネットへの接続が可能な既存の携帯電話インフラを組込むことによって、低コストでのシステム構築が可能で、かつ発生した費用を確実に徴収することが可能になるというメリットがある。
【００２１】
保険証に関わるデータはユーザの所属する保険組合または企業のデータベース内に保存し、保険情報の提示が必要な場合には、無線を使用して、基地局を経由して取得することで、保険証のデータの正当性を保証するという形態も考えられる。
【００２２】
【発明の実施の形態】
次に、本発明の実施例について図面を参照して説明する。図１は本発明の一実施例による医療費徴収システムの構成を示すブロック図である。図１において、本発明の一実施例による医療費徴収システムは携帯電話端末１と、基地局２と、顧客情報データベース３と、携帯電話キャリア側サーバ４と、病院側サーバ５と、病院側顧客管理データベース６と、インタネット１００とから構成されている。
【００２３】
携帯電話端末１は基地局２を通してインタネット１００に接続可能となっており、保険情報や登録番号の表示及び暗証番号入力等の個人認証を行う。基地局２は携帯電話端末１からの無線データを送受信する。尚、図示していないが、基地局２は図示せぬ基地局制御装置を介して携帯電話端末１をインタネット１００に接続する。
【００２４】
携帯電話キャリア側サーバ４は携帯電話端末１の通話料金やデータ通信料金等を管理するとともに、基地局２に専用線１０１を介して接続され、顧客情報データベース３及びインタネット１００双方にアクセス可能となっている。また、病院側サーバ５も病院側顧客管理データベース６及びインタネット１００双方にアクセス可能となっている。
【００２５】
上記の構成のうち、携帯電話端末１、基地局２、顧客情報データベース３、携帯電話キャリア側サーバ４に関しては、インタネットに接続可能な既存の医療費徴収システムを流用することが可能である。
【００２６】
本実施例では、保険証データ提示時にユーザ自身による暗証番号入力等の個人認証手順を経て、携帯電話端末１から住所、氏名等のデータを携帯電話キャリア側サーバ４に対して送出する。
【００２７】
携帯電話キャリア側サーバ４では携帯電話端末１からの入力情報と顧客情報データベース３内の情報とを照合し、整合がとれていれば、登録番号の取得処理を行い、顧客情報データベース３に登録番号を保存する。
【００２８】
病院側サーバ５では携帯電話端末１のディスプレイ部（図示せず）を用いて保険種別や保険証番号を確認し、受診した病院、日時等のデータとともに、登録番号をデータとして病院側顧客管理データベース６に記憶させておき、病院側サーバ５で医療費の算出が完了した時点で、携帯電話キャリア側サーバ４に対して上記の登録番号、病院、日時等のデータと合わせて、費用請求を送出する。
【００２９】
携帯電話キャリア側サーバ４では、費用請求されたデータと事前に登録されたデータとが一致していることを確認し、通話料金やデータ通信料金等の費用請求時に合わせて医療費の請求を行う。
【００３０】
図２は図１の携帯電話キャリア側サーバ４の構成を示すブロック図である。図２において、携帯電話キャリア側サーバ４はユーザ情報受付部４１と、顧客情報データベース情報照合部４２と、登録番号付与部４３と、病院情報受付部４４と、費用請求照合部４５と、ユーザ請求情報生成部４６と、上記の各部を実現するためのコンピュータで実行可能なプログラムを記録する記録媒体４７とから構成されている。
【００３１】
ユーザ情報受付部４１は基地局２及び専用線１０１を介して入力される携帯電話端末１からのユーザ情報（上記の住所、氏名等のデータ）を受付け、そのユーザ情報を顧客情報データベース情報照合部４２に渡す。顧客情報データベース情報照合部４２はユーザ情報受付部４１からのユーザ情報を顧客情報データベース３内の情報と照合し、その照合結果を登録番号付与部４３に渡す。登録番号付与部４３はその照合結果において整合がとれていれば、登録番号の取得処理を行い、取得した登録番号を顧客情報データベース３に保存するとともに、携帯電話端末１に送出する。
【００３２】
病院情報受付部４４はインタネット１００を通して入力される病院側サーバ５からの登録番号、病院、日時等のデータと費用請求とを受付け、それらの情報を費用請求照合部４５に渡す。費用請求照合部４５は病院側サーバ５から費用請求されたデータと顧客情報データベース３に事前に登録されたデータとが照合してそれらが一致していることを確認する。ユーザ請求情報生成部４６は費用請求照合部４５で一致が確認されると、携帯電話端末１の通話料金やデータ通信料金等の費用請求時に合わせて医療費の請求を行うためのユーザ請求情報を生成する。
【００３３】
図３は図１の病院側サーバ５の構成を示すブロック図である。図３において、病院側サーバ５はユーザ情報入力部（例えば、専用バーコードリーダ等）５１と、来院履歴記録制御部５２と、医療費請求処理部５３と、上記の各部を実現するためのコンピュータで実行可能なプログラムを記録する記録媒体５４とから構成されている。
【００３４】
ユーザ情報入力部５１は携帯電話端末１のディスプレイ部（図示せず）に表示された保険種別や保険証番号等を、例えば専用バーコードリーダ等を用いて入力し、その入力情報を来院履歴記録制御部５２に渡す。来院履歴記録制御部５２はこの入力情報をユーザが来院した日時等とともに病院側顧客管理データベース６に記録する。医療費請求処理部５３は来院履歴記録制御部５２が記録した病院側顧客管理データベース６の情報を基に医療費の請求を作成し、登録番号、病院、日時等のデータと費用請求とをインタネット１００を介して携帯電話キャリア側サーバ４に送出する。
【００３５】
図４（ａ）は図１の携帯電話端末１のディスプレイ部１１に保険証データを文字や数字等で表示した例を示す図であり、図４（ｂ）は図１の携帯電話端末１のディスプレイ部１２に保険証データを主にバーコードで表示した例を示す図である。図４（ｂ）に示すように、保険証データが主にバーコードで表示されている場合には、専用のバーコードリーダでディスプレイ部１１の画面を読取ることで、保険証情報が確認される。
【００３６】
図５は本発明の一実施例による医療費徴収システムの動作を示すフローチャートである。これら図１〜図５を参照して本発明の一実施例による医療費徴収システムの動作について説明する。図５に示す処理は携帯電話キャリア側サーバ４及び病院側サーバ５各々のコンピュータ（図示せず）が記録媒体４７，５４のプログラムを実行することで実現される。
【００３７】
保険証の提示時には、まずユーザ自身が携帯電話端末１を操作し、氏名、住所、暗証番号入力の操作を行って登録番号取得処理を行う（図５ステップＳ１１）。この場合、携帯電話端末１を操作して入力される氏名、住所、暗証番号等の情報は無線通信で基地局２に送られ、基地局２から専用線１０１を介して携帯電話キャリア側サーバ４に渡される。
【００３８】
携帯電話キャリア側サーバ４は携帯電話端末１からの入力情報が送られてくると、顧客情報データベース３にアクセスし、入力情報と顧客情報データベース３内の情報とを照合する（図５ステップＳ２１）。携帯電話キャリア側サーバ４はそれらの情報が一致していれば、登録番号の付与と保険情報を提示した記録とを保存する（図５ステップＳ２２，Ｓ２３）。
【００３９】
携帯電話端末１は携帯電話キャリア側サーバ４から取得した登録番号と図示せぬ内部メモリに保存されている保険証データとをディスプレイ部１１に表示する（図５ステップＳ１２）。この場合、病院側サーバ５でのデータ入力の容易さと、第三者への保険証情報の漏洩防止とを図るために、図４（ｂ）に示すように、ディスプレイ部１２への専用のバーコード表示とし、病院側サーバ５でも専用のバーコードリーダを用いてデータを読取るという手法も考えられる。
【００４０】
病院側サーバ５では携帯電話端末１に表示された登録番号と保険証情報とを読取り、キャリア情報、来院日等のデータとともに、病院側顧客管理データベース６に記録する（図５ステップＳ３１，Ｓ３２）。また、病院側サーバ５では登録番号と保険証情報とを確認するために、インタネット１００を経由して携帯電話キャリア側サーバ４から顧客情報データベース３にアクセスし、来院日等のデータを追加保存する（図５ステップＳ２４，Ｓ２５）。
【００４１】
後日、病院側サーバ５で費用精算に関わる事務処理が完了した時点で、上記と同様に、携帯電話キャリア側サーバ４から顧客情報データベース３にアクセスし、登録番号、来院日、費用請求のデータ登録を行う（図５ステップＳ３３）。
【００４２】
キャリア側サーバ４では費用請求のデータ登録がなされた時点で、登録番号の確認と、事前に確認のために登録されている顧客情報データベース３内の情報の照合とを行い（図５ステップＳ２６）、その結果が一致していた場合のみ、正規の費用請求と見なし、携帯電話端末１のユーザに対して費用請求を行う（図５ステップＳ２７）。
【００４３】
ユーザは携帯電話端末１に関わるその他の請求（基本料金、通信料、コンテンツ使用料）とともに、上述した医療費の支払いを行い、キャリア側サーバ４はユーザからの納金が確認された時点で、請求元の病院に対して料金の支払い処理を行う（図５ステップＳ１３，Ｓ２８，Ｓ３４）。
【００４４】
図６は本発明の他の実施例による医療費徴収システムの構成を示すブロック図である。図６において、本発明の他の実施例による医療費徴収システムは保険組合／企業側サーバ７と保険情報データベース８とを追加した以外は図１に示す本発明の一実施例による医療費徴収システムと同様の構成となっており、同一構成要素には同一符号を付してある。また、同一構成要素の動作は本発明の一実施例と同様である。
【００４５】
図７は本発明の他の実施例による医療費徴収システムの動作を示すフローチャートである。これら図６及び図７を参照して本発明の他の実施例による医療費徴収システムの動作について説明する。
【００４６】
本実施例では、ユーザが保険情報データベース８にアクセスするための暗証番号入力操作を行って保険証情報の取得を要求すると（図７ステップＳ４１）、保険組合／企業側サーバ７はその暗証番号を照合し（図７ステップＳ７１）、保険情報データベース８に格納されている保険証情報（保険種別、保険証番号、住所、示す等のデータ）を携帯電話端末１に送出する（図７ステップＳ７２）。
【００４７】
病院側サーバ５は携帯電話端末１に表示された保険証情報を読取り、キャリア情報、来院日等のデータとともに、病院側顧客管理データベース６に記録する（図７ステップＳ４２，Ｓ６１，Ｓ６２）。この後に、病院側サーバ５はインタネット１００を経由して携帯電話キャリア側サーバ４から顧客情報データベース３にアクセスし、来院日等のデータを保存するととも（図７ステップＳ５１）、登録番号を取得し（図７ステップＳ５２）、その登録番号を病院側顧客管理データベース６に追加記録する（図７ステップＳ６３）。
【００４８】
後日、病院側サーバ５で費用精算に関わる事務処理が完了した時点で、上記と同様に、携帯電話キャリア側サーバ４から顧客情報データベース３にアクセスし、登録番号、来院日、費用請求のデータ登録を行う（図７ステップＳ６４）。
【００４９】
携帯電話キャリア側サーバ４では費用請求のデータ登録がなされた時点で、登録番号の確認と、事前に確認のために登録されている顧客情報データベース３内の情報の照合とを行い（図７ステップＳ５３）、その結果が一致していた場合のみ、正規の費用請求と見なし、携帯電話端末１のユーザに対して費用請求を行う（図７ステップＳ５４）。
【００５０】
ユーザは携帯電話端末１に関わるその他の請求（基本料金、通信料、コンテンツ使用料）とともに、上述した医療費の支払いを行い、携帯電話キャリア側サーバ４はユーザからの納金が確認された時点で、請求元の病院に対して料金の支払い処理を行う（図７ステップＳ４３，Ｓ５５，Ｓ６５）。
【００５１】
このように、本実施例では、旅行や外出等でも常時携帯していると思われる携帯電話端末１を保険証の提示に用いることで、不慮の事故や急病等で受診が必要になった場合でも、保険の種別や保険証番号を即座に確認することができ、またこの時の医療費を後日、携帯電話キャリアが病院側の代わりに費用請求することで、医療費精算で再来院するためにかかる移動費、時間等のコストを低減することができる。
【００５２】
また、病院側としても、個人認証及び保険情報確認の手段として、インタネット１００への接続が可能な既存の携帯電話インフラを組込むことによって、低コストでシステム構築を行うことが可能となり、かつ発生した費用を確実に徴収することができる。
【００５３】
保険証に関わるデータはユーザの所属する保険組合または企業側の保険組合／企業側サーバ７から保険情報データベース８内に保存し、保険情報の提示が必要な場合に、基地局２を経由して無線通信にて取得することで、保険証のデータの正当性を保証するという形態も考えられる。
【００５４】
【発明の効果】
以上説明したように本発明の医療費徴収システムは、インタネットへの接続が可能な携帯電話端末に保険証情報を表示することによって、入力するオペレータの負担とデータベースからの検索時間とを増大させることなく、保険の種別や保険証番号を即座に確認することができるという効果が得られる。
【００５５】
また、本発明の他の医療費徴収システムは、携帯電話端末の少なくとも通信料金を管理する携帯電話キャリア側サーバが、携帯電話端末からの使用者情報と予め登録された情報とを照合して認証を行い、認証された携帯電話端末による保険証情報の提示を契機として発生する医療費を特定する登録番号を付与し、その付与した登録番号とともに要求される医療費を少なくとも携帯電話端末の通信料金に加算して請求情報を生成することによって、携帯電話端末の少なくとも通信料金を管理することによって、患者側の再来院するための移動費や時間等のコストを低減することができ、病院側で発生した費用を確実に徴収することができるという効果が得られる。
【図面の簡単な説明】
【図１】本発明の一実施例による医療費徴収システムの構成を示すブロック図である。
【図２】図１の携帯電話キャリア側サーバの構成を示すブロック図である。
【図３】図１の病院側サーバの構成を示すブロック図である。
【図４】（ａ）は図１の携帯電話端末のディスプレイ部に保険証データを文字や数字等で表示した例を示す図、（ｂ）は図１の携帯電話端末のディスプレイ部に保険証データを主にバーコードで表示した例を示す図である。
【図５】本発明の一実施例による医療費徴収システムの動作を示すフローチャートである。
【図６】本発明の他の実施例による医療費徴収システムの構成を示すブロック図である。
【図７】本発明の他の実施例による医療費徴収システムの動作を示すフローチャートである。
【符号の説明】
１　携帯電話端末
２　基地局
３　顧客情報データベース
４　携帯電話キャリア側サーバ
５　病院側サーバ
６　病院側顧客管理データベース
７　保険組合／企業側サーバ
８　保険情報データベース
４１　ユーザ情報受付部
４２　顧客情報データベース情報照合部
４３　登録番号付与部
４４　病院情報受付部
４５　費用請求照合部
４６　ユーザ請求情報生成部
４７，５４　記録媒体
５１　ユーザ情報入力部
５２　来院履歴記録制御部
５３　医療費請求処理部
１００　インタネット
【図１】
2004078443.tif 000003
【図２】
2004078443.tif 000004
【図３】
2004078443.tif 000005
【図４】
2004078443.tif 000006
【図５】
2004078443.tif 000007
【図６】
2004078443.tif 000008
【図７】
2004078443.tif 000009